(57)【特許請求の範囲】
【請求項１】
次亜塩素酸アルカリ金属塩（Ａ）を０．０５〜０．８質量％、炭素数８〜１４のアルキル基を有するジメチルアミンオキシド（Ｂ）を０．３〜２質量％、炭素数８〜１２の脂肪酸アルカリ金属塩（Ｃ）を０．１〜１質量％、アルカリ金属の水酸化物（Ｄ）を０．１〜１質量％、及び水を含有し、
（Ｂ）と（Ｃ）の合計含有量に対する（Ａ）の含有量の質量比（Ａ）／〔（Ｂ）＋（Ｃ）〕が０．１〜０．９であり、
２５℃におけるｐＨが１２〜１４である、
硬質表面用洗浄剤組成物。
【請求項２】
更に、珪酸アルカリ金属塩（Ｅ）を０．０１〜０．３質量％含有する請求項１記載の硬質表面用洗浄剤組成物。
【請求項３】
２５℃における粘度が１０ｍＰａ・ｓ以下である請求項１又は２記載の硬質表面用洗浄剤組成物。
【請求項４】
請求項１〜３の何れか１項記載の硬質表面用洗浄剤組成物を、トリガー式スプレイヤーを備える吐出容器に充填してなる、硬質表面用洗浄剤物品。
【請求項５】
請求項１〜３の何れか１項記載の硬質表面用洗浄剤組成物を、泡状で硬質表面に付着させた後、除去する、硬質表面の洗浄方法。
【発明の詳細な説明】
【技術分野】
【０００１】
本発明は硬質表面用洗浄剤組成物に関する。
【背景技術】
【０００２】
次亜塩素酸ナトリウムは広域な抗微生物スペクトルを有し、特にウイルスにも有効であり、低残留性を示すことから、病院や高齢者施設、保育施設や飲食店、調理施設等において幅広く感染対策として使用される消毒薬である。
【０００３】
例えば、病院をはじめとした医療施設においては、患者の血液や体液、分泌物により汚染された器具や環境周り等の硬質表面を消毒するのに日頃から次亜塩素酸ナトリウムを使用する頻度が高い。しかし、次亜塩素酸ナトリウムは有機物存在下では容易に失活してしまうことから、これらの被汚染物を消毒する際には、予め汚染物を取り除く必要があり、手間がかかると共に、本来の効果が十分に発現しないことが懸念されている。
【０００４】
一方、これらの施設においては、ノロウイルスのように殺菌剤に対する耐性が高く、且つ接触感染を主な感染経路とする微生物が施設内に蔓延した場合には、トイレやベッド柵、シンク周り等の様々な硬質表面を次亜塩素酸ナトリウムで消毒する習慣がある。しかし、現在市販されている液状の次亜塩素酸ナトリウム製剤では、このような対象物に適用する場合、一定範囲に留まらせることが難しく、広範囲に液が流れ出したり、飛散したりするなどといった問題があり、確実な消毒効果が得られない可能性がある。
【０００５】
また、次亜塩素酸ナトリウムは高温での安定性が低いため、通常冷暗所での保管が必要とされている。しかし、これらの施設において次亜塩素酸ナトリウムを使用する際には、一時的な高温や日光暴露などに曝されることが少なくない。このため、現在市販されている次亜塩素酸ナトリウム製剤の多くは、こういったケースで容易に失活してしまう可能性がある。
【０００６】
このような背景から、一時的な高温条件下（例えば５０℃）でも次亜塩素酸ナトリウムの保存安定性に優れ、対象物に対して確実に適用可能であり、しかも汚染物の洗浄と被汚染物の消毒が一剤でできる硬質表面洗浄剤が求められている。
【０００７】
次亜塩素酸塩を対象物に確実に適用する方法としては、特許文献１のように高い粘性を付与することによって、その場に滞留させる方法が知られている。
【０００８】
また、特許文献２では、次亜塩素酸塩とアルキレンオキシ基を有する特定の化合物、アミンオキサイドを含むハイドロトロープ剤、特許文献３では次亜塩素酸塩と陽イオン界面活性剤、アミンオキサイド、脂肪酸塩等をそれぞれ組み合わせることにより、スプレイヤーにより緻密な泡状とすることで、対象物に密着させる方法が開示されている。
【先行技術文献】
【特許文献】
【０００９】
【特許文献１】特開昭６１−１２３７００号公報
【特許文献２】特開２００７−１７７０９４号公報
【特許文献３】特開２００９−３００３５号公報
【発明の概要】
【発明が解決しようとする課題】
【００１０】
硬質表面用の洗浄剤組成物において、次亜塩素酸塩の含有量を増やすことは殺菌効果や洗浄効果の点で有利になると考えられるが、次亜塩素酸塩の含有量の多い洗浄剤組成物を硬質表面に付着した血液や体液等の消毒に用いた場合、次亜塩素酸塩による変性作用により汚れが凝固し、洗浄・除去することが困難になるという課題があることが見い出された。他方、洗浄力を向上する目的で界面活性剤の含有量を多くすると、次亜塩素酸塩の保存安定性が低下する。
【００１１】
本発明の課題は、次亜塩素酸アルカリ金属塩の保存安定性が良好で、血液汚れ洗浄性に優れ、且つ起泡性にも優れた、殺菌・消毒のできる硬質表面用洗浄剤組成物を提供することにある。
【課題を解決するための手段】
【００１２】
本出願人は、上記課題につき鋭意検討した結果、次亜塩素酸アルカリ金属塩と特定の種類の界面活性剤を用い、更にそれらを特定の量比で組み合わせた場合に、次亜塩素酸アルカリ金属塩の保存安定性が良好で、血液汚れに対する洗浄性に優れ、且つ噴霧時等の起泡性にも優れることを見出し本発明に至った。
【００１３】
本発明は、次亜塩素酸アルカリ金属塩（Ａ）〔以下、（Ａ）成分という〕を０．０５〜１質量％、炭素数８〜１４のアルキル基を有するジメチルアミンオキシド（Ｂ）〔以下、（Ｂ）成分という〕を０．３〜２質量％、炭素数８〜１２の脂肪酸アルカリ金属塩（Ｃ）〔以下、（Ｃ）成分という〕を０．１〜１質量％、アルカリ金属の水酸化物（Ｄ）〔以下、（Ｄ）成分という〕を０．１〜１質量％、及び水を含有し、
（Ｂ）と（Ｃ）の合計含有量に対する（Ａ）の含有量の質量比（Ａ）／〔（Ｂ）＋（Ｃ）〕が０．１〜０．９であり、
２５℃におけるｐＨが１２〜１４である、
硬質表面用洗浄剤組成物に関する。
【００１４】
また、本発明は、上記本発明の硬質表面用洗浄剤組成物を、トリガー式スプレイヤーを備える吐出容器に充填してなる、硬質表面用洗浄剤物品に関する。
【００１５】
また、本発明は、上記本発明の硬質表面用洗浄剤組成物を、泡状で硬質表面に付着させた後、除去する、硬質表面の洗浄方法に関する。
【発明の効果】
【００１６】
本発明によると、次亜塩素酸アルカリ金属塩の保存安定性が良好で、血液汚れ洗浄性に優れ、且つスプレイヤーで使用した際には起泡量が多いといった良好な泡吐出性を示し、対象物に確実に適用可能な、殺菌・消毒のできる硬質表面用洗浄剤組成物が提供される。
【発明を実施するための形態】
【００１７】
＜（Ａ）成分＞
本発明の硬質表面用洗浄剤組成物は、ノロウイルスを初めとする感染性微生物の殺菌性の観点から、（Ａ）成分として、次亜塩素酸アルカリ金属塩を含有する。次亜塩素酸アルカリ金属塩としては、次亜塩素酸カリウム、次亜塩素酸ナトリウムが挙げられ、入手の容易さの観点から次亜塩素酸ナトリウムが好ましい。
【００１８】
＜（Ｂ）成分＞
本発明の硬質表面用洗浄剤組成物は、血液汚れ洗浄性の観点から、（Ｂ）成分として、炭素数８〜１４のアルキル基を有するジメチルアミンオキシドを含有する。（Ｂ）成分としては、下記一般式（１）で表される化合物が挙げられる。
【００１９】
【化１】
0005937410.tif 000002
【００２０】
（式中、Ｒ1は炭素数８〜１４のアルキル基、Ｒ2は炭素数１〜３のアルキレン基、Ｘは−ＣＯＯ−、−ＯＣＯ−、−ＮＨＣＯ−、−ＣＯＮＨ−、−Ｏ−から選ばれる基、ｍは０又は１の数である。）
【００２１】
入手の容易さの観点から、一般式（１）中のｍは０が好ましい。
【００２２】
（Ｂ）成分のアルキル基、例えば、一般式（１）中のＲ1bは、スプレイヤー使用時の泡吐出性の観点から、炭素数１０〜１４が好ましく、炭素数１０〜１２がより好ましく、炭素数１２が更に好ましい。
【００２３】
（Ｂ）成分としては、血液汚れ洗浄性の観点から、オクチルジメチルアミンオキシド、ノニルジメチルアミンオキシド、デシルジメチルアミンオキシド、ウンデシルジメチルアミンオキシド、ドデシルジメチルアミンオキシド、トリデシルジメチルアミンオキシド、テトラデシルジメチルアミンオキシドが好ましく、デシルジメチルアミンオキシド、ウンデシルジメチルアミンオキシド、ドデシルジメチルアミンオキシド、トリデシルジメチルアミンオキシド、テトラデシルジメチルアミンオキシドがより好ましく、ドデシルジメチルアミンオキシド、トリデシルジメチルアミンオキシド、テトラデシルジメチルアミンオキシドがさらに好ましく、ドデシルジメチルアミンオキシドがより更に好ましい。
【００２４】
（Ｂ）成分は、１種を用いてもよいし、２種以上を組合せて用いてもよい。
【００２５】
＜（Ｃ）成分＞
本発明の硬質表面用洗浄剤組成物は、血液汚れ洗浄性及びスプレイヤー使用時の泡吐出性の観点から、（Ｃ）成分として、炭素数８〜１２の脂肪酸アルカリ金属塩を含有する。血液汚れ洗浄性の観点から、（Ｃ）成分の炭素数は１０〜１２が好ましく、１０がより好ましい。
【００２６】
また、（Ｃ）成分としては、炭素数８〜１２の脂肪酸カリウム及び炭素数８〜１２の脂肪酸ナトリウムから選ばれる１種以上が好ましく、炭素数８〜１２の脂肪酸ナトリウムから選ばれる１種以上がより好ましい。
【００２７】
（Ｃ）成分としては、ｎ−オクタン酸、２−エチルヘキサン酸、３，５，５−トリメチルヘキサン酸、ｎ−ノナン酸、ｎ−デカン酸、ｎ−ウンデカン酸、及びｎ−ドデカン酸から選ばれる脂肪酸のアルカリ金属塩が好適に挙げられる。これらのうち、ｎ−デカン酸、及びｎ−ドデカン酸から選ばれる脂肪酸のアルカリ金属塩がより好ましく、ｎ−デカン酸のアルカリ金属塩がさらに好ましい。
【００２８】
（Ｃ）成分は、１種を用いてもよいし、２種以上を組合せて用いてもよい。
【００２９】
＜（Ｄ）成分＞
本発明の硬質表面用洗浄剤組成物は、血液汚れ洗浄性及び（Ａ）成分の保存安定性の観点から、（Ｄ）成分として、アルカリ金属の水酸化物を含有する。（Ｄ）成分としては、（Ａ）成分の保存安定性の観点から、水酸化カリウム及び水酸化ナトリウムから選ばれる１種以上が好ましく、水酸化ナトリウムがより好ましい。
【００３０】
＜水＞
本発明の硬質表面用洗浄剤組成物は、水を含有する。使用する水は、イオン交換水、ＲＯ水、蒸留水のいずれでもよい。
【００３１】
＜各成分の含有量等＞
本発明の硬質表面用洗浄剤組成物における（Ａ）成分の含有量は０．０５〜１質量％である。（Ａ）成分の含有量は、感染性微生物の殺菌性の観点から、０．０５質量％以上であり、０．１質量％以上が好ましく、０．２質量％以上がより好ましい。また、（Ａ）成分の含有量は、血液汚れ洗浄性の観点から１質量％以下であり、０．８質量％以下が好ましく、０．７質量％以下がより好ましい。
【００３２】
本発明の硬質表面用洗浄剤組成物における（Ｂ）成分の含有量は０．３〜２質量％である。（Ｂ）成分の含有量は、スプレイヤー使用時の十分な泡吐出量の観点から０．３質量％以上であり、０．５質量％以上が好ましい。また、（Ｂ）成分の含有量は、（Ａ）成分の保存安定性の観点から、２質量％以下であり、１質量％以下が好ましく、０．７質量％以下がより好ましい。
【００３３】
本発明の硬質表面用洗浄剤組成物における（Ｃ）成分の含有量は０．１〜１質量％である。（Ｃ）成分の含有量は、スプレイヤー使用時に十分な泡吐出量の観点から、０．１質量％以上であり、０．２質量％以上が好ましく、０．３質量％以上がより好ましい。また、（Ｃ）成分の含有量は、（Ａ）成分の保存安定性の観点から、１質量％以下であり、０．６質量％以下が好ましく、０．５質量％以下がより好ましい。
【００３４】
本発明の硬質表面用洗浄剤組成物における（Ｄ）成分の含有量は０．１〜１質量％である。（Ｄ）成分の含有量は、（Ａ）成分の保存安定性の観点から、０．１質量％以上であり、０．２質量％以上が好ましく、０．３質量％以上がより好ましい。（Ｄ）成分の含有量は、金属表面に適用する際に金属表面の腐食を防ぐ観点から、１質量％以下であり、０．８質量％以下が好ましく、０．６質量％以下がより好ましい。
【００３５】
本発明の硬質表面用洗浄剤組成物における（Ｂ）成分と（Ｃ）成分の合計含有量に対する（Ａ）成分の含有量の質量比（Ａ）／〔（Ｂ）＋（Ｃ）〕は、血液汚れ洗浄性と（Ａ）成分の保存安定性の観点から、０．１〜０．９である。血液汚れ洗浄性の観点から、質量比（Ａ）／〔（Ｂ）＋（Ｃ）〕は０．１〜０．８が好ましく、０．１〜０．７５がより好ましい。
【００３６】
本発明の硬質表面用洗浄剤組成物における（Ｂ）成分の含有量と（Ｃ）成分の含有量の質量比（Ｂ）／（Ｃ）は、血液汚れ洗浄性の観点から、１／５〜５／１が好ましく、１／３〜３／１がより好ましく、１／２〜２／１が更に好ましい。
【００３７】
＜他の任意成分＞
本発明の硬質表面用洗浄剤組成物は、金属表面の腐食を防止するために、（Ｅ）成分として、珪酸アルカリ金属塩を含有することが好ましい。（Ｅ）成分としては、本発明の硬質表面用洗浄剤組成物の高温（例えば５０℃）での保存安定性の観点から、オルト珪酸アルカリ金属塩、メタ珪酸アルカリ金属塩、１号珪酸アルカリ金属塩、２号珪酸アルカリ金属塩、及び３号珪酸アルカリ金属塩から選ばれる化合物が好ましく、オルト珪酸アルカリ金属塩、メタ珪酸アルカリ金属塩、及び１号珪酸アルカリ金属塩から選ばれる化合物がより好ましく、メタ珪酸アルカリ金属塩が更に好ましい。（Ｅ）成分としては、珪酸カリウム塩及び珪酸ナトリウム塩から選ばれる化合物が好ましく、珪酸ナトリウム塩がより好ましい。
【００３８】
本発明の硬質表面用洗浄剤組成物における（Ｅ）成分の含有量は、金属腐食を防止する観点から、０．０１〜０．３質量％が好ましく、０．０３〜０．１５質量％がより好ましい。
【００３９】
本発明の硬質表面用洗浄剤組成物は、その他の任意成分として、本発明の効果を妨げない範囲において一般に洗浄剤に配合される成分を含有することができる。例えば、溶剤、キレート剤、ハイドロトロープ剤、分散剤、ｐＨ調整剤（（Ｄ）成分を除く）、粘度調整剤、香料、着色剤、酸化防止剤、防腐剤などが挙げられる。
【００４０】
本発明の硬質表面用洗浄剤組成物は、更に、（Ｂ）成分、（Ｃ）成分以外の界面活性剤（以下、「他の界面活性剤」と呼ぶ）を含有することができる。他の界面活性剤は、特に制限されるものではないが、ポリオキシアルキレンアルキルエーテルカルボン酸塩、アルカンスルホン酸塩、アルキル硫酸エステル塩、アルキルベンゼンスルホン酸塩やアルキルナフタレンスルホン酸塩、アルキルスルホコハク酸塩、アルキルジフェニルエーテルジスルホン酸塩、アルキルリン酸塩、ポリオキシエチレンアルキル硫酸エステル塩、ポリオキシエチレンアルキルフェニルエーテルスルホン酸塩等のアニオン性界面活性剤、ポリオキシアルキレンアルキルエーテル、ポリオキシアルキレンアルケニルエーテル、ポリアルキレングリコール、ポリオキシアルキレンアルキルフェニルエーテル、脂肪酸ポリオキシエチレンエステル、脂肪酸ソルビタンエステル、脂肪酸ポリオキシアルキレンソルビタンエステル、脂肪酸サッカライドエステル、アルキルポリサッカライド、アルキルグリセリルエーテル、脂肪酸アルカノールアミド等のノニオン性界面活性剤、アルキルアミノ酢酸ベタイン、アルキルアミドプロピルベタイン、アルキルヒドロキシスルホベタイン等のベタイン、及びアミドアミノ酸（イミダゾリン系ベタイン）等の両性界面活性剤、及びアルキルトリメチルアンモニウム塩、ジアルキルジメチルアンモニウム塩、塩化ベンザルコニウム、アルキルベンジルジメチルアンモニウム塩、アルキルピリジニウム塩、ポリエチレンポリアミン、塩化ベンゼトニウム等のカチオン性界面活性剤等が挙げられ、これらの１種又は２種以上を組み合わせて使用することができる。
【００４１】
本発明の硬質表面用洗浄剤組成物における他の界面活性剤の含有量は、血液汚れ洗浄性の観点から、０．１〜３質量％が好ましく、０．３〜１．５質量％がより好ましい。
【００４２】
＜ｐＨ＞
本発明の硬質表面用洗浄剤組成物の２５℃におけるｐＨは、血液汚れ洗浄性の観点から、１２〜１４である。更に、金属表面に適用する際に金属表面の腐食を防ぐ観点から１２．３〜１３．５が好ましく、１２．５〜１３がより好ましい。尚、本発明の硬質表面用洗浄剤組成物の２５℃におけるｐＨは、HORIBA pH Meter F-21（（株）堀場製作所製）を用いて測定することができる。
【００４３】
＜粘度＞
本発明の硬質表面用洗浄剤組成物は、スプレイヤーによる吐出性の観点から、２５℃における粘度が１０ｍＰａ・ｓ以下であることが好ましく、７ｍＰａ・ｓ以下であることがより好ましく、５ｍＰａ・ｓ以下であることが更に好ましい。また、本発明の硬質表面用洗浄剤組成物の２５℃における粘度は０．５ｍＰａ・ｓ以上であることが好ましく、０．８ｍＰａ・ｓであることがより好ましく、１ｍＰａ・ｓであることが更に好ましい。ここで粘度は、Ｂ型粘度計によりＮｏ．１ローターを用いて、２５℃、回転数６０ｒｐｍの条件で１分攪拌後の値を測定したものである。
【００４４】
＜適用方法＞
本発明の硬質表面用洗浄剤組成物は、剤型や使用方法が特に制限されるものでは無いが、液状又は泡状となって対象物に適用できる剤型とすることが好ましい。本発明の組成物は、特に該組成物の硬質表面への付着、及びその後の除去を伴う洗浄方法に用いるのが好ましく、液状に調整したものをそのまま対象に適用することもできるが、作業性、簡便性の点から、本発明の組成物を紙や布、ガーゼ、ペーパータオルに含浸させ、対象物を拭き取るように適用する方法や、泡形成機構を有するスプレイヤーによって、泡状に吐出して対象に適用する方法等で使用することが好ましい。
【００４５】
＜硬質表面洗浄剤物品＞
本発明の硬質表面用洗浄剤組成物は、泡形成機構を有するスプレイヤーを備える吐出容器に充填して用いることができる。スプレイヤーを備える吐出容器としてはトリガー式スプレイヤーを備える吐出容器が好ましく、トリガー式スプレイヤーとしては実公平６−３４８５８号公報、特公昭６３−２６６８号公報に記載のもの等が挙げられる。よって、本発明により、本発明の硬質表面用洗浄剤組成物を、トリガー式スプレイヤーを備える吐出容器に充填してなる、硬質表面用洗浄剤物品が提供される。本発明の硬質表面用洗浄剤組成物を、スプレイヤーを備える吐出容器に充填して用いる場合には、硬質表面、若しくは硬質表面に付着した汚れに泡状に付着させた後、一定時間静置してから水で洗い流したり、水を含んだ紙や布、ガーゼ、ペーパータオル等によりふき取ったりすることで、硬質表面、若しくは硬質表面に付着した汚れを洗浄・除菌することができる。
【００４６】
泡形成機構としては、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００４７】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は３０〜９０面積％が好ましく、４０〜８０面積％がより好ましく、４０〜７０面積％が更に好ましく、このような液体通過板を設置することで、垂直表面への泡の付着滞留性が良好になる。
【００４８】
泡形成機構を有するスプレイヤーを備える吐出容器としては、一般に使用されている容器を用いることができる。例えば、ポリエチレンを原料として得られるものであり、ブロー成型などによって製造することができる。容器の肉厚は底面と側面と異なってもよく、０．０５〜３．０ｍｍが好ましく、容器の容量は２００〜１０００ｍＬが好ましい。（Ａ）成分の次亜塩素酸塩を配合する場合、光による分解を抑制するために容器は不透明であるのが好ましい。不透明化のために容器に酸化チタン等を含有するものが用いられるのが好ましく、その場合、容器は多層構造を有するものが好ましく、特に最内側の液体漂白剤組成物と接触する層は、金属物を含まないものが用いられるのが好ましい。
【００４９】
＜使用場面＞
本発明の硬質表面用洗浄剤組成物は、病院をはじめとした医療施設等において、血液や体液といった次亜塩素酸塩による消毒が必要とされる汚れに汚染された硬質表面や、ノロウイルス等の微生物による汚染が懸念される環境表面を洗浄・除菌する際に好適に用いることができる。
【実施例】
【００５０】
表１に示す組成の硬質表面用洗浄剤組成物を調製し、上記方法にて２５℃のｐＨ及び２５℃の粘度を測定した。表１中の組成は全て有効分濃度に基づく。また、表１の硬質表面用洗浄剤組成物について、血液汚れ洗浄性、次亜塩素酸アルカリ金属塩の保存安定性、泡吐出量を、それぞれ下記の方法で評価した。結果を表１に示した。なお、表１の硬質表面用洗浄剤組成物については、下記の方法で医療施設での感染が問題とされる病原体の中でも特に殺菌剤に対する耐性の高い、芽胞形成菌（Clostridium difficile）に対して短時間で高い殺菌効果が得られている。
【００５１】
［芽胞形成菌に対する殺菌性評価方法］
・芽胞液の作成
タウロコール酸添加ＢＨＩＡ培地で３７℃±１℃、７日間嫌気培養した試験菌の菌体を精製水に懸濁させ、６０℃±１℃、２０分間加熱し、栄養細胞を死滅させた。この懸濁液を遠心分離して上澄み液を除いた後、菌体を再度精製水に懸濁させ、菌数が１０7〜１０8ｃｆｕ/ｍＬとなるように調整し、芽胞液とした。
【００５２】
・殺菌性評価
表１の硬質表面用洗浄剤組成物１０ｍＬに芽胞液を０．１ｍＬ接種し、試験液とした。室温で保存し、５分後に試験液をＳＣＤＬＰ培地（日本製薬株式会社）で直ちに１０倍又は１００倍に希釈した。この希釈液の生菌数を、菌数測定用培地を用いて測定し、測定限界以下（１０2ｃｆｕ/ｍＬ以下）まで菌数が低減した場合を合格とした。
【００５３】
［血液汚れ洗浄性の評価方法］
（１）血液汚れの付着した基盤の作成方法
ヘパリン処理ヒツジ血液（コージンバイオ社）に硫酸プロタミン（ノボ・静注用）を１５μｇ／血液１ｍＬの比で添加し、十分に混和した。次に上記血液２０ｍｇをポリプロピレン製基盤（上面（縦８０ｍｍ、横３０ｍｍ）、厚さ１ｍｍ）の上面全体に１０ｍｇ／ｃｍ2の割合で塗布した後、２５℃にて２時間乾燥して汚れの付着した基盤を作成した。
【００５４】
（２）洗浄方法
（１）で作成した血液汚れ全体に硬質表面用洗浄剤組成物１ｍＬを適用し、２５℃にて静置し５分間経過後、基盤の上面を２５℃の水１０ｍＬで濯いだ。
【００５５】
（３）血液汚れ洗浄率の計算方法
洗浄前後の基盤の質量変化から下記計算式により血液汚れ洗浄率（％）を算出し、表１にその値を記載した。洗浄率７０％以上であれば良好に洗浄できたものと判断する。
血液汚れ洗浄率（％）＝［（（洗浄前の基盤質量）−（洗浄後の基盤質量））／（（洗浄前の基盤質量）−（血液汚れを付着する前の基盤質量）］×１００
【００５６】
［次亜塩素酸アルカリ金属塩の保存安定性の評価方法］
洗浄剤組成物１００ｍＬをポリプロピレン製容器に入れ、５０℃で１ヶ月保存し、残存する有効塩素濃度を下記の方法で測定した。また、初期有効塩素濃度に対する保存後の残存有効塩素濃度の割合を有効塩素残存率とした。
【００５７】
有効塩素濃度測定方法：洗浄剤組成物５ｇにイオン交換水５０ｍＬ、よう化カリウム０．５ｇ（和光純薬）、１０％硫酸（和光純薬）２０ｍＬ、デンプン指示薬（シグマアルドリッチ）５滴を加えて溶解させ、滴定用ビュレットを用いて０．１Ｍチオ硫酸ナトリウム（和光純薬）で滴定を行った。滴定に用いたチオ硫酸ナトリウムの量から洗浄液中に含まれる有効塩素濃度を算出した。有効塩素残存率５０％以上であれば、実際の使用で想定される保管条件では問題ないレベルであり、良好な保存安定性を示すものと判断する。
【００５８】
［泡吐出量の測定方法］
表１の洗浄剤組成物をキッチン泡ハイター（花王（株）製）容器（吐出量  １ｇ／回、トリガー式スプレイヤーを備える吐出容器）に充填し、１００ｍＬメスシリンダーに上から１０回噴霧した際にできる泡の容量（ｍＬ）を測定した。この操作を３回行い、その平均値を表に記載した。泡吐出量が７０ｍＬ以上であれば、汚れの洗浄・除菌に必要な時間、良好な泡を保持できるものと判断する。
【００５９】
【表１】
0005937410.tif 000003
【００６０】
［表１の化合物］
表１記載の各成分を下記に示す。表１では、これらの製品の有効分が表１中の数値となるように用いた。
・次亜塩素酸ナトリウム：「低食次亜塩素酸ソーダ」（南海化学株式会社、有効塩素濃度１２％）
・ドデシルジメチルアミンオキシド：「アンヒトール２０N」（花王株式会社）
・ｎ−デカン酸ナトリウム：ｎ−デカン酸（「ルナック１０−９８」（花王株式会社））のナトリウム塩
・ＮａＯＨ：「２５％か性ソーダ」（南海化学株式会社）
・メタ珪酸ナトリウム：「無水メタ珪酸ナトリウム」（広栄化学工業株式会社）